(57)【要約】【課題】着用者が涼しく快適に過ごすことができる空調ウェアを提供する。【解決手段】空調ウェアは、着用者１００に密着可能に構成されたウェア本体と、ウェア本体において胴部に対向する位置に形成された開口部に装着され、且つ外気をウェア本体と胴部との間に送風可能な送風ファンと、を備えている。ウェア本体における着用者の脇下に対向した位置に脇下外気排出部が形成され、脇下外気排出部は開閉可能に構成されている。開状態では、脇下外気排出部から外気がウェア本体の外部へ排出され、閉状態では、脇下外気排出部と着用者の脇下との間を外気が流通不能になっている。【選択図】図７
2020125549.tif 000002
【特許請求の範囲】
【請求項１】
着用者の胴部、胸部及び肩部を覆い、下端が前記着用者に密着可能に構成されたウェア本体と、
前記ウェア本体における前記胴部に対向する位置に開口部が形成され、該開口部に着脱可能、且つ外気を前記ウェア本体と前記胴部との間に送風可能な送風ファンと、を備え、
前記ウェア本体における前記着用者の脇下に対向した位置に脇下外気排出部が形成され、
該脇下外気排出部は開閉可能に構成され、
開状態では、前記脇下外気排出部から前記外気が前記ウェア本体の外部へ排出可能に構成され、
閉状態では、前記脇下外気排出部と前記着用者の脇下との間を前記外気が流通不能に構成されている空調ウェア。
【請求項２】
前記ウェア本体はベストであり、
前記脇下外気排出部は、
前記脇下を通る袖口基端部の周縁に沿って前記ウェア本体に設けられたコード挿通部と、
前記コード挿通部の前記脇に近い側且つ前側に形成され、且つ前記周縁に沿って互いに間隔をあけて形成された一対のコード取り出し穴と、
前記コード挿通部に挿通され、両端部が前記一対のコード取り出し穴から前記ウェア本体の外部に取り出されたコードと、
ロック状態及び解除状態を切り替え可能に構成され、前記ロック状態では前記両端部が前記コード取り出し穴より前記外部で留まり、前記コード挿通部に挿通されている前記コードの長さが固定され、前記解除状態では前記両端部の長手方向に沿って移動自在になり、前記コード挿通部に挿通されている前記コードの長さが変化するストッパーと、
を備える、
請求項１に記載の空調ウェア。
【請求項３】
前記脇下外気排出部は、前記脇下を通る袖口基端部の周縁の少なくとも前記脇下に対向する前記ウェア本体を開閉可能なファスナー部を備える、
請求項１又は２に記載の空調ウェア。
【請求項４】
前記ファスナー部は前記周縁の全体にわたって設けられ、
前記ファスナー部を介して前記ウェア本体に着脱可能な袖を備える、
請求項３に記載の空調ウェア。
【請求項５】
前記ウェア本体の襟部及び該襟部に接続されたフードの前端の何れか一方が前記着用者に密着可能に構成された、
請求項１から４の何れか一項に記載の空調ウェア。
【請求項６】
着用者の胴部、胸部及び肩部を覆い、少なくとも前記胴部の下端近傍と密着可能に構成され、
前記胴部に対向する位置に、外気を前記胴部との間に送風する送風ファンを着脱可能に構成された開口部が形成され、
前記着用者の脇下に対向した位置に脇下外気排出部が形成され、
該脇下外気排出部は開閉可能に構成され、
開状態では、前記脇下外気排出部から前記外気が外部へ排出可能に構成され、
閉状態では、前記脇下外気排出部と前記着用者の脇下との間を前記外気が流通可能に構成されている、
空調ウェア本体。
【発明の詳細な説明】
【技術分野】
【０００１】
本発明は、空調ウェア及び空調ウェア本体に関する。
【背景技術】
【０００２】
近年、屋外のようにエアコンを使用できない環境や、工場や建物内の修理点検現場のようにエアコンの効果が得られにくい環境において、作業者が快適に作業を行うことができるように、作業者が空調ウェアを着用する機会が増えている。空調ウェアは、空調服とも呼ばれ、服に取り付けられた送風ファンによって服と着用者の体の表面との間に外気を取り入れ、着用者の体の表面に風を流し、汗を気化させ、気化熱によって体を冷ますことができるように構成されている。また、汗の気化によって暖かく湿った空気は、襟元と袖口から排出される。
【０００３】
例えば、特許文献１には、着用者の腹部を冷却する能力の向上を図るために、上述の襟元と袖口に加えて腹部に当たる服の部分に外気排出部を備えた空調ウェアが開示されている。
【先行技術文献】
【特許文献】
【０００４】
【特許文献１】再公表ＷＯ２０１６／１７０６２６号
【発明の概要】
【発明が解決しようとする課題】
【０００５】
従来一般の空調ウェアは、送風ファンから襟元及び袖口に設けられた外気排出部までの空気の経路にある部位（例えば、胸部や背部）を冷却する能力に優れている。上述の特許文献１に開示されている空調ウェアでは、腹部に当たる部分に外気排出部が設けられているため、従来の空調ウェアに比べて腹部を冷却する能力が向上する。しかしながら、今後の地球温暖化やそれに伴う作業環境の高温化をふまえ、着用者がさらに涼しく、快適に過ごせる空調ウェアが求められていた。
【０００６】
本発明は、上述の事情に鑑みてなされたものであり、着用者が涼しく快適に過ごすことができる空調ウェア及び空調ウェア本体を提供する。
【課題を解決するための手段】
【０００７】
本発明の空調ウェアは、着用者の胴部、胸部及び肩部を覆い、下端が前記着用者に密着可能に構成されたウェア本体と、前記ウェア本体における前記胴部に対向する位置に開口部が形成され、該開口部に着脱可能、且つ外気を前記ウェア本体と前記胴部との間に送風可能な送風ファンと、を備え、前記ウェア本体における前記着用者の脇下に対向した位置に脇下外気排出部が形成され、該脇下外気排出部は開閉可能に構成され、開状態では、前記脇下外気排出部から前記外気が前記ウェア本体の外部へ排出可能に構成され、閉状態では、前記脇下外気排出部と前記着用者の脇下との間を前記外気が流通不能に構成されていることを特徴とする。
【０００８】
本発明の空調ウェアでは、前記ウェア本体はベストであり、前記脇下外気排出部は、前記脇下を通る袖口基端部の周縁に沿って前記ウェア本体に設けられたコード挿通部と、前記コード挿通部の前記脇に近い側且つ前側に形成され、且つ前記周縁に沿って互いに間隔をあけて形成された一対のコード取り出し穴と、前記コード挿通部に挿通され、両端部が前記一対のコード取り出し穴から前記ウェア本体の外部に取り出されたコードと、ロック状態及び解除状態を切り替え可能に構成され、前記ロック状態では前記両端部が前記コード取り出し穴より前記外部で留まり、前記コード挿通部に挿通されている前記コードの長さが固定され、前記解除状態では前記両端部の長手方向に沿って移動自在になり、前記コード挿通部に挿通されている前記コードの長さが変化するストッパーと、を備えてもよい。
【０００９】
本発明の空調ウェアでは、前記脇下外気排出部は、前記脇下を通る袖口基端部の周縁の少なくとも前記脇下に対向する前記ウェア本体を開閉可能なファスナー部を備えてもよい。
【００１０】
本発明の空調ウェアでは、前記ファスナー部は前記周縁の全体にわたって設けられ、前記ファスナー部を介して前記ウェア本体に着脱可能な袖を備えてもよい。
【００１１】
本発明の空調ウェアでは、前記ウェア本体の襟部及び該襟部に接続されたフードの前端の何れか一方が前記着用者に密着可能に構成されてもよい。
【００１２】
本発明の空調ウェア本体は、着用者の胴部、胸部及び肩部を覆い、少なくとも前記胴部の下端近傍と密着可能に構成され、前記胴部に対向する位置に、外気を前記胴部との間に送風する送風ファンを着脱可能に構成された開口部が形成され、前記着用者の脇下に対向した位置に脇下外気排出部が形成され、該脇下外気排出部は開閉可能に構成され、開状態では、前記脇下外気排出部から前記外気が外部へ排出可能に構成され、閉状態では、前記脇下外気排出部と前記着用者の脇下との間を前記外気が流通可能に構成されていることを特徴とする。
【発明の効果】
【００１３】
本発明の空調ウェア及び空調ウェア本体によれば、着用者が涼しく快適に過ごすことができる。
【図面の簡単な説明】
【００１４】
【図１】本発明の第１実施形態の空調ウェアの正面図である。
【図２】図１に示す空調ウェアの背面図である。
【図３】図１に示す空調ウェアを展開して内側から見た正面図である。
【図４】図１に示す空調ウェアの上部を拡大した側面図である。
【図５】図１に示す空調ウェアの脇下外気排出部を拡大した側面図である。
【図６】図１に示す空調ウェアの脇下外気排出部の閉状態を説明するための模式図である。
【図７】図１に示す空調ウェアの脇下外気排出部の開状態を説明するための模式図である。
【図８】本発明の第２実施形態の空調ウェアの正面図である。
【発明を実施するための形態】
【００１５】
以下、本発明の空調ウェア及び空調ウェア本体の好ましい実施形態について、図面を参照して説明する。
【００１６】
＜第１実施形態＞
本発明の第１実施形態の空調ウェア１１は、エアコンを使用できない環境や、エアコンの効果が得られにくい環境において、着用者が快適に作業を行うことができるように構成されている。図１から図３に示すように、空調ウェア１１は、ウェア本体（空調ウェア本体）２０と、送風ファン６０とを備えている。以下、図１に示すように空調ウェア１１を正面から見たときの前側、後側、左側、右側、上側、下側をそれぞれ、単に「前側」、「後側」、「左側」、「右側」、「上側」、「下側」という。また、前側と後側とを結ぶ方向を前後方向とし、左側と右側とを結ぶ方向を左右方向とし、上側と下側とを結ぶ方向を上下方向とする。
【００１７】
ウェア本体２０は、着用者１００（図６及び図７参照）の胴部１０２、胸部１０４及び肩部１０６を覆う、ベストである。図１に示すように、ウェア本体２０の正面には、上下方向に沿って線ファスナー２６が設けられている。即ち、ウェア本体２０は正面で線ファスナー２６によって開閉可能に構成されている。
【００１８】
ウェア本体２０は、例えば胴部１０２の下端近傍と密着可能に構成されている。胴部１０２の下端近傍とは、例えば腰骨を中心とする上下方向の１０ｃｍ以内の範囲である。しかしながら、ウェア本体２０の下端が着用者１００に密着可能な位置は、空調ウェア１１の着用目的等に合わせて適切な位置に設計されている。ウェア本体２０の下端部２１は、胴部１０２の周縁に沿って袋とじされている。このことによって、下端部２１には、コード挿通部２３が設けられている。図３に示すように、ウェア本体２０の内面２２、即ち胴部１０２に対向する面において、空調ウェア１１の左側及び右側の脇下１０８近傍且つ胴部１０２の下端近傍に、一対のコード取り出し穴３１，３２が周縁に沿って互いに間隔をあけて形成されている。脇下１０８近傍とは、脇下１０８から下端部２１の周縁に沿った方向に５ｃｍ以内の部分を表す。２カ所に形成されたコード取り出し穴３１，３２の間のコード挿通部２３には、コード２４が挿通している。コード２４の長手方向の両側の端部２５は、一対のコード取り出し穴３１，３２のそれぞれからウェア本体２０の内側、即ち図３の紙面の手前側に取り出され、ループ状に閉じられている。ループ状に閉じられた端部２５には、ストッパー２７が設けられている。
【００１９】
ウェア本体２０における胴部１０２に対向する２つの位置に、円形の開口部２８，２８が形成されている。図３に示すように、送風ファン６０は、開口部２８に取り付けられ、開口部２８に対して着脱可能である。送風ファン６０は、電気コード６１を介して電源６２に接続されている。電源６２は、送風ファン６０を作動させるためのバッテリーを内蔵し、内面２２に設けられたポケット３３に収容可能である。着用者が空調ウェア１１を着用した状態で、電源６２によって送風ファン６０が作動すると、空調ウェア１１の外気がウェア本体２０と胴部１０２との間に送風される。
【００２０】
ウェア本体２０の図４に示す襟部７１の内側には、図３に示すように、帯状の襟開口形成部７３，７４が設けられている。襟開口形成部７３は、襟開口形成部７４より長く形成されている。襟開口形成部７３の所定の位置にボタン７５が設けられている。襟開口形成部７４には、複数のボタンホール７６が長手方向に間隔をあけて複数形成されている。着用者１００の首の太さに合わせてボタン７５を所望のボタンホール７６に架けて着用者１００が空調ウェアを着用することによって、前後方向において襟開口形成部７３，７４とウェア本体２０の襟部７１との間に空隙が形成され、次に説明するフード７０が襟部７１から取り外されている際は、この空隙が外気排出口になる。以下では、特筆しない限り、フード７０はウェア本体２０に取り付けられているものとする。
【００２１】
図１及び図２に示すように、空調ウェア１１は、ウェア本体２０に着脱可能なフード７０を備えている。図４に拡大して示すように、襟部７１は、フード７０の内側に、着用者１００の首に沿って立ちあがっている。襟部７１とウェア本体２０との境界部及びフード７０の下端に、線ファスナー７２が設けられている。
【００２２】
フード７０の前端は周縁に沿って袋とじされており、コード挿通部７７が形成されている。コード挿通部７７には、コード７８が挿通されている。コード挿通部７７の下側には、コード挿通部７７の周縁に沿って互いに間隔をあけて一対のコード取り出し穴７９，８０が形成されている。コード７８は、一対のコード取り出し穴７９，８０からフード７０の外部且つ前方に取り出されている。一対のコード取り出し穴７９，８０のそれぞれから取り出された端部８１，８１は、ループ状に閉じられている。ループ状に閉じられた端部８１には、ストッパー８２が設けられている。
【００２３】
図１に示すように、ウェア本体２０における脇下１０８の位置（着用者の脇下に対向した位置）３６に脇下外気排出部３８が設けられている。脇下外気排出部３８は、コード挿通部４１、コード４２及びストッパー４３で構成されている。コード挿通部４１は、ベストであるウェア本体２０において脇下１０８を通る袖口基端部４５の周縁に沿って設けられている。袖口基端部４５が周縁に沿って袋とじされることによって、コード挿通部４１が形成されている。
【００２４】
コード挿通部４１の脇下（脇）１０８に近い側且つ前側には、袖口基端部４５の周縁に沿って互いに間隔をあけて一対のコード取り出し穴４７，４８が形成されている。コード４２は、コード挿通部４１に挿通されている。コード４２の長手方向の両側の端部（両端部）５０は、一対のコード取り出し穴４７，４８からウェア本体２０の外部に取り出されている。一対のコード取り出し穴４７，４８のそれぞれから取り出された端部５０，５０は、ループ状に閉じられている。
【００２５】
図１及び図５に示すように、ループ状に閉じられた端部５０には、ストッパー４３が設けられている。ストッパー４３は、ロック状態及び解除状態を切り替え可能に構成されている。ストッパー４３の任意の位置に設けられたボタン（図示略）が押されていない状態がロック状態であり、前述のボタンが押されている状態が解除状態である。
【００２６】
ロック状態では、ストッパー４３が端部５０，５０をコード取り出し穴４７，４８の外側、即ちウェア本体２０の外部で留めている状態になっており、コード挿通部４１に挿通されているコード４２の長さ、及びコード取り出し穴４７，４８からウェア本体２０の外部に露出する端部５０の長さが固定されている。
【００２７】
一方、解除状態では、ストッパー４３を端部５０の長手方向に沿って移動させることによって、コード挿通部４１に挿通されているコード４２の長さ、及びコード取り出し穴４７，４８からウェア本体２０の外部に露出する端部５０の長さが変化するように、コード４２におけるストッパー４３が移動自在になる。
【００２８】
解除状態では、脇下外気排出部３８を開閉可能になる。図６及び図７に示すように、ループ状の端部５１が例えば着用者１００の一方の手の指に把持される。その状態から、ストッパー４３が、例えば着用者１００の他方の手の指によって端部５１のコード取り出し穴４７，４８からコード４２の長手方向において最も遠い先端から離れるように、言い換えれば端部５１が長くなるように、コード４２に沿って移動する。
【００２９】
解除状態のストッパー４３が袖口基端部４５を介して脇下１０７に向かって移動し、脇下１０７と隣り合う位置でロック状態に切り替えられると、図６に示すように、袖口基端部４５が巾着袋の口のように絞られ、脇下１０７を通る着用者１００の腕部１１０と胸部１０４との境界に密着する。このように袖口基端部４５が腕部１１０と胸部１０４との境界に密着した状態を閉状態とする。
【００３０】
解除状態のストッパー４３がコード取り出し穴４７，４８の外部且つコード取り出し穴４７，４８から離れた位置でロック状態に切り替えられると、図７に示すように、脇下１０７と袖口基端部４５との間に空隙が形成され、この空隙が外気排出口５２になる。このように外気排出口５２が形成された状態を開状態とする。
【００３１】
外気排出口５２の大きさは、ロック状態にされたストッパー４３の端部５１における位置によって決まる。図１は、袖口基端部４５が全く絞られておらずに全開になっている様子を示している。全開状態（開状態）の袖口基端部４５の周縁の長さは、空調ウェア１１のサイズに応じて適宜設定されている。ここで、ウェア本体２０の前側において着用者１００の首の根元に当たる上端５３から下端５４までの長さＬ１を総丈（Full length）と称する。例えば、空調ウェア１１のサイズがＳ，Ｍ，Ｌ，ＬＬ，３Ｌ，４Ｌの６種類があるとき、サイズＳであれば、長さＬ１は６９５ｍｍ程度、全開状態の袖口基端部４５の見頃側の周縁の長さは５６９ｍｍ程度であることが好ましい。サイズＭであれば、長さＬ１は７１５ｍｍ程度、全開状態の袖口基端部４５の周縁の長さは５９４．８ｍｍ程度であることが好ましい。サイズＬであれば、長さＬ１は７３５ｍｍ程度、全開状態の袖口基端部４５の周縁の長さは６２０．２ｍｍ程度であることが好ましい。サイズＬＬであれば、長さＬ１は７５５ｍｍ程度、全開状態の袖口基端部４５の周縁の長さは６４５．８ｍｍ程度であることが好ましい。サイズ３Ｌであれば、長さＬ１は７７５ｍｍ程度、全開状態の袖口基端部４５の周縁の長さは６７１．５ｍｍ程度であることが好ましい。サイズ４Ｌであれば、長さＬ１は７９５ｍｍ程度、全開状態の袖口基端部４５の周縁の長さは６９７．２ｍｍ程度であることが好ましい。
【００３２】
以上説明した第１実施形態の空調ウェア１１は、ウェア本体２０と、送風ファン６０とを備えている。ウェア本体２０において脇下１０７に対向した位置に、脇下外気排出部３８が形成されている。脇下外気排出部３８は、開閉可能に構成されている。開状態では、送風ファン６０の作動によってウェア本体２０と着用者１００との間に吸い込まれた外気が脇下外気排出部３８からウェア本体２０の外部へ排出されるように、脇下外気排出部３８が構成されている。一方、閉状態では、送風ファン６０の作動によってウェア本体２０と着用者１００との間に吸い込まれた外気が脇下外気排出部３８と脇下１０７との間を流通しないように、脇下外気排出部３８が構成されている。
【００３３】
着用者１００は、図７に示すように、脇下外気排出部３８を開状態にすることによって、空調ウェア１１と自身との間に流通する外気を外気排出口５２から排出することができる。着用者１００の脇付近の体内には太い血管があり、脇下１０７は、例えば熱が出たときにも冷やす部分である。空調ウェア１１では、脇下１０７を通って外気が排出されるため、気化熱によって脇下１０７が効率よく迅速に冷まされ、着用者１００は従来の空調ウェアでは得られない爽快感を得ることができる。
【００３４】
また、空調ウェア１１では、ウェア本体２０は、ベストである。脇下外気排出部３８は、コード挿通部４１と、コード４２と、コード取り出し穴４７，４８から取り出された端部５１に設けられたストッパー４３とを備えている。ストッパー４３は、ロック状態及び解除状態を切り替え可能に構成されている。第１実施形態では、着用者１００がストッパー４３のボタンを押していない状態、即ちボタンから指を放している状態では、ロック状態になる。ロック状態では、ストッパー４３によって端部５０がコード取り出し穴４７，４８より外部で留められ、コード挿通部４１に挿通されているコード４２の長さが固定される。そのため、コード４２の長さに伴う袖口基端部４５の周縁の長さ及び外気排出口５２の大きさが固定される。一方、着用者１００がストッパー４３のボタンを押すと解除状態になる。解除状態では、ストッパー４３を端部５０の長手方向に沿って移動させることによって、コード挿通部４１に挿通されているコード４２の長さが変化し、コード４２の長さの変化に伴って袖口基端部４５の周縁の長さ及び外気排出口５２の大きさが変化する。
【００３５】
解除状態のストッパー４３をコード取り出し穴４７，４８の外部且つコード取り出し穴４７，４８から離れた位置でロック状態に切り替えると、外気排出口５２が形成され、開状態を実現できる。ストッパー４３をロック状態に切り替える際の端部５０の長手方向におけるストッパー４３の位置を変えることにより、外気排出口５２の大きさを変え、外気排出口５２から排出される外気の流量を調節できる。また、袖口基端部４５を介して解除状態のストッパー４３を脇下１０７に隣り合う位置でロック状態に切り替えると、袖口基端部４５が脇下１０７に密着し、閉状態を実現できる。上述の構成によって、着用者１００は、端部５０の長手方向におけるストッパー４３の位置を変えることにより、前側から、容易に、外気排出口５２から排出される外気の流量、及び脇下１０７の冷やし度合いを調整できる。
【００３６】
また、空調ウェア１１では、フード７０の前端に設けられたコード挿通部７７が着用者１００に密着可能に構成されている。コード挿通部７７にはコード７８が挿通し、コード取り出し穴７９，８０から端部８１，８１が取り出されている。ループ状に閉じられた端部８１には、ストッパー８２が設けられている。そのため、コード挿通部４１、コード４２、ストッパー４３を用いた調節原理と同様の原理によって、フード７０の前端と着用者１００の頭部との間の隙間の大きさを容易に調節できる。空調ウェア１１では、フード７０を取り外し、着用者１００の首の太さに合わせてボタン７５を所望のボタンホール７６に架ければ、着用者１００の首の後側において空気排出口を形成できる。このことによって、従来の空調ウェアと同様に、着用者１００の首の後側から外気を排出することもできる。
【００３７】
空調ウェア１１によれば、袖口基端部４５からの脇下１０７の外気の排出と、フード７０の前端からの外気の排出とを容易に切り替えられる。例えば、爽快感を迅速に得たい場合は、フード７０の前端を着用者１００に密着させ、袖口基端部４５を全開状態にし、外気の略全量を外気排出口５２から空調ウェア１１の外部に排出できる。また、着用者１００のいる環境や条件に応じて、フード７０の前端を着用者１００から多少離して外気排出口を形成すると共に、袖口基端部４５を略半開状態にすることもできる。このことによって、着用者１００は、頭部を適度に冷ますと共に、脇下１０７を適度に冷まし、袖口基端部４５を全開状態にしたときとは別の爽快感を得ることができる。
【００３８】
＜第２実施形態＞
次に、本発明の第２実施形態の空調ウェア及び空調ウェア本体について説明する。第２実施形態の空調ウェア及び空調ウェア本体において、第１実施形態の空調ウェア及び空調ウェア本体の構成と共通する構成には第１実施形態の空調ウェア及び空調ウェア本体と同様の符号を付し、その説明を省略する。以下では、第１実施形態とは異なる第２実施形態の空調ウェア及び空調ウェア本体の構成を中心に説明する。
【００３９】
図８に示すように、第２実施形態の空調ウェア９１は、ウェア本体２０、送風ファン６０に加え、左側及び右側の袖９２，９２を備えている。ウェア本体２０の袖口基端部４５においてコード挿通部４１より袖口の先端に近い側の周縁全体にわたって、線ファスナー（ファスナー部）９６の複数の務歯９４が並んでいる。袖９２は、線ファスナー９６を介してウェア本体２０に着脱可能である。袖９２の基端、即ち着用者１００の肩部１０６に近い側の周縁全体にわたって、袖口基端部４５の複数の務歯９４に噛み合う複数の務歯９３が設けられている。
【００４０】
上述の空調ウェア９１では、線ファスナー９６の持ち手９５が脇下１０８の近傍に配置されている。脇下１０８の近傍とは、脇下１０８から袖口基端部４５の周縁に沿う方向に沿って例えば３ｃｍ以内の範囲を表す。図示していないが、線ファスナー９３，９４が袖口基端部４５の周縁に沿う方向に沿って部分的に開かれると、外気排出口が形成される。即ち、第２実施形態では、第１実施形態において端部５０の長手方向におけるストッパー４３の位置を変えることによって外気排出口５２の大きさ、脇下１０７を通る外気の流量を調整する替わりに、線ファスナー９３，９４を開ける長さによって、外気排出口の大きさ、脇下１０７を通る外気の流量を調整できる。
【００４１】
以上説明した第２実施形態の空調ウェア９１は、脇下外気排出部３８として、袖口基端部４５の周縁の脇下１０７に対向するウェア本体２０を開閉可能な線ファスナー９６を備えている。ウェア本体２０を開閉可能であるとは、持ち手９５を袖口基端部４５に沿って移動させ、ウェア本体２０と袖９２とを部分的に分離可能又は接続可能であることを表す。着用者１００は、長袖の空調ウェア９１においても脇下１０７に対向する線ファスナー９６を開けることによって、脇下外気排出部３８を開状態とし、線ファスナー９６を閉めることによって、脇下外気排出部３８を閉状態とすることができる。脇下外気排出部３８を開状態にすることによって、着用者１００は、空調ウェア９１と自身との間に流通する外気を外気排出口５２から排出できる。このことによって、空調ウェア９１では、空調ウェア１１と同様に、脇下１０７を通って外気が排出されるため、気化熱によって脇下１０７が効率よく迅速に冷まされ、着用者１００は従来の空調ウェアでは得られない爽快感を得ることができる。
【００４２】
また、第２実施形態の空調ウェア９１では、ファスナー部９を開ける際の周方向の長さを変えることによって外気排出口の大きさを変えることになり、ウェア本体２０と着用者１００との間から脇下１０７を通って外部に流出する外気の量を容易に調節できる。
【００４３】
また、第２実施形態の空調ウェア９１では、線ファスナー９６は袖口基端部４５の周縁の全体にわたって設けられている。空調ウェア９１は、線ファスナー９６を介してベスト型のウェア本体２０に着脱可能な袖９２を備えている。線ファスナー９６の開け閉めによって、着用者１００がウェア本体２０に対して袖９２を容易に取り付け、又は取り外すことができる。
【００４４】
また、第２実施形態の空調ウェア９１によれば、第１実施形態と同様に、フード７０を取り外し、着用者１００の首の太さに合わせてボタン７５を所望のボタンホール７６に架ければ、着用者１００の首の後側において空気排出口を形成できる。このことによって、従来の空調ウェアと同様に、着用者１００の首の後側及び袖口から外気を排出することもできる。また、空調ウェア９１によれば、袖口基端部４５からの脇下１０７の外気の排出と、袖口からの外気の排出と、フード７０の前端からの外気の排出とを容易に切り替えられる。例えば、爽快感を迅速に得たい場合は、袖口基端部４５を全開状態にし、外気の略全量を外気排出口５２から空調ウェア１１の外部に排出できる。また、着用者１００のいる環境や条件に応じて、フード７０の前端を着用者１００から多少離して外気排出口を形成すると共に、袖口基端部４５を略半開状態にすることもできる。このことによって、着用者１００は、頭部及び両手を適度に冷ますと共に、脇下１０７を適度に冷まし、袖口基端部４５を全開状態にしたときとは別の爽快感を得ることができる。
【００４５】
以上、本発明の好ましい実施形態について詳述したが、本発明は特定の実施形態に限定されない。本発明は、特許請求の範囲内に記載された本発明の要旨の範囲内において、変更可能である。
【００４６】
上述の実施掲載では、脇下外気排出部３８として、ウェア本体２０の端部を袋とじにして内部にコードを通し、コードの端部とをコード取り出し穴からウェア本体２０の外部且つ前側に取り出してループ状に留める構成、及び線ファスナーを備えた構成について説明した。しかしながら、本発明における脇下外気排出部３８は、点ファスナーや面ファスナーを備えてもよい。但し、閉状態において、ウェア本体２０と着用者１００との間の外気が脇下外気排出部３８から排出されない、即ち脇下外気排出部３８で外気が閉じ込められることが好ましい。
【００４７】
また、上述の第２実施形態では、袖９２，９２が線ファスナー９６によってウェア本体２０に対して着脱可能であることを説明した。第２実施形態の変形例として、袖９２，９２がウェア本体２０と一体に縫製され、袖口基端部４５の周縁において脇下１０８を含む所定の長さだけ線ファスナーが形成されてもよい。
【符号の説明】
【００４８】
１１，９１  空調ウェア
２０  ウェア本体
３８  脇下外気排出部
６０  送風ファン
１００  着用者
【図１】
2020125549.tif 000003
【図２】
2020125549.tif 000004
【図３】
2020125549.tif 000005
【図４】
2020125549.tif 000006
【図５】
2020125549.tif 000007
【図６】
2020125549.tif 000008
【図７】
2020125549.tif 000009
【図８】
2020125549.tif 000010